(57)【特許請求の範囲】
【請求項１】
加熱源と、
前記加熱源で加熱された温風を室内に送出する送風ファンと、
室温を検知する室温検知部と、
暖房運転の作動・停止を指示する運転スイッチと、
設定温度を入力する設定温度入力部と、
前記運転スイッチが作動されて暖房運転が開始されると、前記室温検知部で検知される検知室温が前記設定温度と一致するように前記加熱源の加熱量を制御する初期加熱運転制御部と、
初期加熱運転により前記検知室温が前記設定温度に到達すると、前記設定温度で所定の設定温度維持時間、維持した後、前記検知室温が所定の制御温度を維持するように前記加熱源の加熱量を制御するとともに、所定のセーブパターンで前記制御温度を低下させていくセーブ運転制御部と、
所定のセーブ時間の経過に伴って、前記制御温度を所定のセーブ量で低下させる複数のセーブパターンが設定されたセーブパターン設定部と、
暖房運転終了時に前記セーブ運転が行われている場合、セーブ運転開始から暖房運転終了までに前記制御温度を低下させるために実行された実行セーブ量を記憶するセーブ量記憶部と、を備え、
前記セーブ運転制御部は、暖房運転終了時に前記セーブ運転が行われており、暖房運転が終了してから所定の停止時間内に前記運転スイッチが作動されて暖房運転が再開された場合、前記実行セーブ量が多いほど、前記設定温度維持時間を短く、且つ前記制御温度をより早く低下させるように設定されたセーブパターンでセーブ運転を行う温風暖房機。
【請求項２】
請求項１に記載の温風暖房機において、
前記セーブ運転制御部は、暖房運転終了時に前記セーブ運転が行われており、暖房運転が終了してから前記停止時間内に前記運転スイッチが作動されて暖房運転が再開された場合、前記停止時間が短いほど、前記制御温度をより早く低下させるように設定されたセーブパターンでセーブ運転を行う温風暖房機。
【請求項３】
請求項１または２に記載の温風暖房機において、
前記セーブパターン設定部には、初期加熱運転により前記検知室温が前記設定温度に到達すると、前記設定温度で所定の設定温度維持時間、維持した後、所定の標準セーブ時間の経過に伴って、所定の標準セーブ量で前記制御温度を低下させていく標準セーブパターン、及び前記標準セーブパターンの設定温度維持時間より短い設定温度維持時間で、且つ前記標準セーブ時間よりも短時間の所定の再開セーブ時間の経過に伴って、所定の再開セーブ量で前記制御温度を低下させていく複数の再開セーブパターンが設定されており、
前記セーブ量記憶部は、暖房運転終了時に前記標準セーブパターンでセーブ運転が実行されている場合、セーブ運転開始から暖房運転終了までに前記制御温度を低下させるために実行された実行セーブ量を記憶し、
前記セーブ運転制御部は、暖房運転終了時に前記セーブ運転が行われており、暖房運転が終了してから前記停止時間内に前記運転スイッチが作動されて暖房運転が再開された場合、前記実行セーブ量が多いほど、前記標準セーブパターンよりも、前記設定温度維持時間を短く、且つ前記制御温度をより早く低下させるように設定された再開セーブパターンでセーブ運転を行う温風暖房機。
【発明の詳細な説明】
【技術分野】
【０００１】
本発明は、温風暖房機に関する。特に、本発明は、省燃費性能に優れる温風暖房機に関する。
【背景技術】
【０００２】
例えば、温風暖房機であるガスファンヒータにおいては、本体ケース内にガスバーナと、送風ファンとを備え、送風ファンの回転動作により室内空気を吸引するとともに、ガスバーナにより加熱された空気を室内に送風することで、室温を上昇させる暖房運転を行っている。
【０００３】
また、温調機能を有する温風暖房機においては、温度設定スイッチにより使用者が設定した設定温度と、室内空気の吸気口近傍に設けられた温度センサで検知される実際の室温とが略一致するように、ガスバーナの加熱量と送風ファンの送風量とが調整されている。そして、ガスバーナの加熱量を最小にしても、温度センサで検知される室温が上昇し続ける場合を考慮して、室温が設定温度よりも所定温度以上高くなるとガスバーナを消火し、室温が設定温度よりも所定温度以上低くなるとガスバーナを点火する、いわゆるオン・オフ制御を行う温風暖房機も知られている。
【０００４】
さらに、セーブ運転機能（省燃費運転機能）を有する温風暖房機においては、温度センサで検知される室温が設定温度に到達した後、制御温度を少しずつ低下させていくセーブ運転が行われている。具体的には、室温を設定温度に略一致させる初期加熱運転が行われた後、３０分間経過するまでは制御温度を設定温度で維持し、３０分間経過すると制御温度を１℃下げ、さらにその後３０分間経過すると制御温度をさらに１℃下げるセーブ運転を実行する温風暖房機が提案されている。
【０００５】
上記のようなセーブ運転機能を有する温風暖房機によれば、暖房運転が長時間になるほど、設定温度よりも若干低い制御温度が所定時間維持されるように加熱量が制御されるため、使用者の体感温度はさほど変わらない。それゆえ、ガスバーナの加熱量を低減することができ、使用者に不快感を生じさせることなく、燃費を向上させることができる。
【先行技術文献】
【特許文献】
【０００６】
【特許文献１】特開平８−１８９７０８号公報
【特許文献２】特開２０１０−２０６３号公報
【特許文献３】特開２０１０−２０６４号公報
【発明の概要】
【発明が解決しようとする課題】
【０００７】
ところで、ガスファンヒータなどの温風暖房機では、消し忘れ防止等のために、暖房運転が所定時間を超えて継続されていると、使用者の希望する暖房運転時間に関わらず、ガスバーナを消火し、暖房運転を強制的に終了させる強制タイマ運転が実行される。そのため、使用者が暖房運転を継続したい場合、再度、運転スイッチをオン操作して暖房運転を再開させる必要がある。また、強制タイマ運転が行われない温風暖房機であっても、暖房運転の途中で使用者が運転スイッチをオフ操作した後、短時間内に再度、別の使用者が暖房運転を開始させる場合がある。このような暖房運転の再開が行われる場合、室温は前回の暖房運転が行われていたときと比べて上昇している場合が多い。
【０００８】
しかしながら、上記従来のセーブ運転機能を有する温風暖房機では、室温を設定温度まで上昇させる初期加熱運転が終了した後、前回行われた暖房運転による室内の暖まり具合や暖房運転を再開させるまでの停止時間に関わらず、一律に所定のセーブ時間が経過した後、所定のセーブ量で制御温度を低下させているため、燃費向上を目的として行われるセーブ運転の実効が十分に図られないという問題がある。
【０００９】
本発明は上記課題を解決するためになされたものであり、本発明の目的は、セーブ運転機能を有する温風暖房機において、前回の暖房運転終了から短時間内に暖房運転が再開される場合に、前回行われた暖房運転を考慮して、体感温度を低下させることなく、燃費性能を向上させることにある。
【課題を解決するための手段】
【００１０】
本発明は、
加熱源と、
前記加熱源で加熱された温風を室内に送出する送風ファンと、
室温を検知する室温検知部と、
暖房運転の作動・停止を指示する運転スイッチと、
設定温度を入力する設定温度入力部と、
前記運転スイッチが作動されて暖房運転が開始されると、前記室温検知部で検知される検知室温が前記設定温度と一致するように前記加熱源の加熱量を制御する初期加熱運転制御部と、
初期加熱運転により前記検知室温が前記設定温度に到達すると、前記設定温度で所定の設定温度維持時間、維持した後、前記検知室温が所定の制御温度を維持するように前記加熱源の加熱量を制御するとともに、所定のセーブパターンで前記制御温度を低下させていくセーブ運転制御部と、
所定のセーブ時間の経過に伴って、前記制御温度を所定のセーブ量で低下させる複数のセーブパターンが設定されたセーブパターン設定部と、
暖房運転終了時に前記セーブ運転が行われている場合、セーブ運転開始から暖房運転終了までに前記制御温度を低下させるために実行された実行セーブ量を記憶するセーブ量記憶部と、を備え、
前記セーブ運転制御部は、暖房運転終了時に前記セーブ運転が行われており、暖房運転が終了してから所定の停止時間内に前記運転スイッチが作動されて暖房運転が再開された場合、前記実行セーブ量が多いほど、前記設定温度維持時間を短く、且つ前記制御温度をより早く低下させるように設定されたセーブパターンでセーブ運転を行う温風暖房機である。
【００１１】
上記温風暖房機によれば、強制タイマ運転あるいは使用者による運転スイッチのオフ操作などにより暖房運転が終了したときにセーブ運転が実行されていた場合、それまでに実行されたセーブ量が記憶されるから、前回の暖房運転終了時におけるセーブ運転の進行度合いを判定することができる。
【００１２】
そして、上記セーブ運転が行われていた状態で暖房運転が終了した後、使用者が運転スイッチを作動して暖房運転を再開した場合、前回実行された実行セーブ量が多いほど、すなわちセーブ運転が長時間実行されているほど、室内全体が暖められており、室温は低下しにくい状態となっている。しかも、セーブ運転による実行セーブ量が多いほど、より低下させた制御温度で長時間、暖房運転が行われているから、使用者はその制御温度に応じて低下した室温に慣れた状態となっている。従って、再開時の初期加熱運転により検知室温が設定温度に到達した後であれば、設定温度を維持する設定温度維持時間を短くし、且つ高い制御温度を長時間維持することなく、前回の実行セーブ量に応じてより早期に制御温度を低下させるセーブパターンでセーブ運転が実行されても、体感温度は大きく低下しにくい。これにより、体感温度を損なうことなく、燃費を向上させることができる。
【００１３】
上記温風暖房機において、好ましくは、
前記セーブ運転制御部は、暖房運転終了時に前記セーブ運転が行われており、暖房運転が終了してから前記停止時間内に前記運転スイッチが作動されて暖房運転が再開された場合、前記停止時間が短いほど、前記制御温度をより早く低下させるように設定されたセーブパターンでセーブ運転を行う。
【００１４】
暖房運転終了から運転スイッチが作動されて暖房運転が再開されるまでの停止時間が短いほど、室温や体感温度は低下しにくいから、再開後の暖房運転ではより早期に制御温度を低下させるセーブパターンでセーブ運転を実行することにより、体感温度を損なうことなく、さらに燃費を向上させることができる。
【００１５】
上記温風暖房機において、好ましくは、
前記セーブパターン設定部には、初期加熱運転により前記検知室温が前記設定温度に到達すると、前記設定温度で所定の設定温度維持時間、維持した後、所定の標準セーブ時間の経過に伴って、所定の標準セーブ量で前記制御温度を低下させていく標準セーブパターン、及び前記標準セーブパターンの設定温度維持時間より短い設定温度維持時間で、且つ前記標準セーブ時間よりも短時間の所定の再開セーブ時間の経過に伴って、所定の再開セーブ量で前記制御温度を低下させていく複数の再開セーブパターンが設定されており、
前記セーブ量記憶部は、暖房運転終了時に前記標準セーブパターンでセーブ運転が実行されている場合、セーブ運転開始から暖房運転終了までに前記制御温度を低下させるために実行された実行セーブ量を記憶し、
前記セーブ運転制御部は、暖房運転終了時に前記セーブ運転が行われており、暖房運転が終了してから前記停止時間内に前記運転スイッチが作動されて暖房運転が再開された場合、前記実行セーブ量が多いほど、前記標準セーブパターンよりも、前記設定温度維持時間を短く、且つ前記制御温度をより早く低下させるように設定された再開セーブパターンでセーブ運転を行う。
【００１６】
初めて暖房運転が実行される場合や、前回、セーブ運転が実行されていても、再開までに長時間が経過していた場合、室温が低下している可能性がある。従って、緩やかに制御温度が低下する標準セーブパターンでセーブ運転を実行することにより、体感温度の低下を防止することができる。一方、前回の暖房運転終了時にセーブ運転が実行されていた場合、実行セーブ量が多いほど、標準セーブパターンよりも、設定温度維持時間を短く、且つより早期に制御温度を低下させるように設定された再開セーブパターンでセーブ運転を実行するから、体感温度を損なうことなく、燃費を向上させることができる。
【発明の効果】
【００１７】
以上のように、本発明によれば、暖房運転終了時にセーブ運転が実行されており、暖房運転終了から所定の停止時間内に運転スイッチが作動された場合、再開時の暖房運転におけるセーブ運転では、前回のセーブ運転における実行セーブ量が多いほど、また停止時間が短いほど、より早期に制御温度を低下させていくから、それまでに実行されたセーブ運転による室内の暖まり具合や低下させた室温に対する使用者の慣れ、さらに再開までの室温の低下に応じた暖房運転を行うことができる。これにより、短時間内に暖房運転が再開されても、体感温度を低下させすぎることなく、少ない加熱量で効率的に暖房運転を行うことができる。
【図面の簡単な説明】
【００１８】
【図１】本発明の実施の形態に係る温風暖房機の一例を示す概略断面図である。
【図２】本発明の実施の形態に係る温風暖房機の制御ブロック図である。
【図３】本発明の実施の形態に係る温風暖房機で設定されているセーブパターンの一例を示す時間と制御温度との相関図である。
【図４】本発明の実施の形態に係る温風暖房機における制御動作の一部を示すフローチャートである。
【図５】本発明の実施の形態に係る温風暖房機における制御動作の一部を示すフローチャートである。
【発明を実施するための形態】
【００１９】
以下、図面を参照しながら、本実施の形態に係る温風暖房機を説明する。
図１は、本実施の形態の温風暖房機の一例を示す概略断面図である。図１に示すように、温風暖房機１は、室内に設置される本体ケース２内に、ダクト４、送風ファン５、ガスバーナ（加熱源）６、給気ダクト７、ガス供給管８、及び制御ユニットＣを備えている。
【００２０】
ダクト４は、温風の送風路を構成するものであり、室内空気ｓを取り込むための吸気口１０を本体ケース２の背面に開口し、本体ケース２の前面下部において温風の吹出口１１を開口している。吸気口１０には、塵や埃等がダクト４内に流入するのを防ぐためにエアフィルタ１２が着脱自在に取り付けられている。
【００２１】
また、吸気口１０付近の箇所には、この吸気口１０に臨んでサーミスタにより構成された温度センサ（室温検知部）２６が取り付けられている。この温度センサ２６は、温風暖房機１の暖房運転中、常時定期的に検知した検知室温を示す信号を制御ユニットＣに出力する。
【００２２】
送風ファン５は、通電量に比例して回転数が変化するファンモータ１６と、ダクト４内に吹出口１１に臨んで配置され、ファンモータ１６により回転駆動される回転羽根１７とを有しており、回転羽根１７の回転により吸気口１０から室内空気ｓを吸引する。そして、吸引した室内空気ｓをダクト４内に組み込まれたガスバーナ６の燃焼排気ｈと混合し、それを温風ｍとして吹出口１１から室内に送出する。この送風ファン５には、ファンモータ１６の回転数を検知するホール素子等により構成される回転数センサ１８が設けられており、回転数センサ１８は、ファンモータ１６の回転数に応じた信号を制御ユニットＣに出力する。
【００２３】
ダクト４内に組み込まれたガスバーナ６は、その燃焼胴１９内に燃焼プレート２０を配し、燃焼用空気と燃料ガスとの混合気に点火するための点火電極２１を燃焼プレート２０の近傍に配している。ガスバーナ６の燃焼排気ｈは燃焼胴１９からダクト４内に排出される。また、燃焼プレート２０の下流側には、燃焼炎の有無を検知するための熱電対２２が配置される。熱電対２２は、ガスバーナ６の燃焼炎に晒されると、燃焼炎の温度に応じた熱起電力を発生し、その熱起電力を制御ユニットＣに出力する。
【００２４】
給気ダクト７は、室内空気（燃焼用空気）ｓと燃料ガスとをガスバーナ６に供給するための通路であり、ガスバーナ６と燃焼胴１９内とを連通し、且つダクト４と画成して本体ケース２の背面で開口した室内空気ｓの吸気口２３を有している。そして、給気ダクト７のガスバーナ６側の箇所には、ガス供給管８の先端に取り付けられたノズル２４が設けられている。給気ダクト７には、送風ファン５の回転動作により吸気口２３から室内空気ｓが吸引され、吸引された室内空気ｓがガス供給管８のノズル２４から噴出される燃料ガスと混合されて、その混合気がガスバーナ６に供給される。なお、吸気口２３は、ダクト４の吸気口１０とともにエアフィルタ１２により覆われている。
【００２５】
ガス供給管８には、上流側から順に、電磁弁２７，２８、及び比例制御弁２９が配設されている。電磁弁２７，２８は、制御ユニットＣからの通電により開弁するものであり、通電が停止されると閉弁状態となって燃料ガスの通過を遮断する。比例制御弁２９は、制御ユニットＣからの通電量に伴って開度が増大する弁であり、ガスバーナ６への燃料ガスの供給量を調整する。
【００２６】
本体ケース２の外面部には、操作パネル３０が設けられており、操作パネル３０には、運転スイッチ３１、温度設定スイッチ（設定温度入力部）３２等の各種スイッチ、及び表示部３３が配設されている。
【００２７】
運転スイッチ３１は、使用者のオン・オフ操作により、温風暖房機１の図示しない主電源のオン・オフを示す信号を制御ユニットＣに出力する。温度設定スイッチ３２は、使用者が希望する温度を設定するスイッチであり、使用者の所定の操作により、設定温度が例えば１℃単位で増減され、設定される。温度設定スイッチ３２は、設定された設定温度を示す信号を制御ユニットＣに出力する。
【００２８】
表示部３３は、液晶パネルやデジタル表示器等からなり、温度センサ２６が検知した現在の検知室温や、温度設定スイッチ３２で設定された設定温度等を表示する。
【００２９】
図２に示すように、マイクロコンピュータを有する制御ユニットＣは、運転制御部５０、計時部５１、初期加熱運転制御部６０、セーブ運転制御部８０、タイマ運転制御部９０、温調制御部１００、ファン駆動回路１０１、比例弁駆動回路１０２などを備える。
【００３０】
運転制御部５０は、使用者が運転スイッチ３１をオン操作すると、所定時間、点火電極２１に通電を行なうとともに、電磁弁２７，２８を開弁状態、比例制御弁２９を点火開度にしてガスバーナ６の点火を行なう。また、使用者が運転スイッチ３１をオフ操作すると、電磁弁２７，２８、及び比例制御弁２９を閉弁状態にしてガスバーナ６の消火を行なう。なお、燃焼中に、熱電対２２の出力電圧が所定値未満になると、電磁弁２７，２８、及び比例制御弁２９を閉弁状態にしてガスバーナ６を消火する。
【００３１】
初期加熱運転制御部６０は、暖房運転初期において、検知室温が設定温度に略一致するようにガスバーナ６の目標燃焼量（加熱量）を決定し、温調制御部１００に指示する。
【００３２】
セーブ運転制御部８０は、初期加熱運転により検知室温が設定温度に到達してから所定の設定温度維持時間、制御温度を設定温度で維持した後、所定のセーブ時間経過ごとに、所定のセーブ量（△Ｔ）で制御温度を低下させていくように設定されている複数のセーブパターンを記憶したセーブパターン設定部８１、及び暖房運転終了時にセーブ運転が実行されていた場合、それまでに実行された実行セーブ量（Σ△Ｔ）を一時的に記憶するセーブ量記憶部８２を有している。
【００３３】
そして、セーブ運転制御部８０は、電源投入後の初回の暖房運転、または暖房運転終了時にセーブ運転が実行されているが、暖房運転が終了してから所定の停止時間（例えば、１０分間）を超えて暖房運転が再開された場合等においては、表１に示す標準セーブパターンでセーブ運転が行われるように目標燃焼量を決定し、温調制御部１００に指示する。さらに、セーブ運転制御部８０は、前回の暖房運転終了時にセーブ運転が実行されており、且つ上記停止時間内に暖房運転が再開された場合、セーブ量記憶部８２に記憶されている前回のセーブ運転で実行された実行セーブ量、及び暖房運転が再開されるまでの停止時間に基づいて、表２及び表３に示す再開セーブパターン１及び２中のいずれかのセーブパターンでセーブ運転が行われるよう目標燃焼量を決定し、温調制御部１００に指示する。なお、図３は、標準セーブパターン、及び再開セーブパターンの一部についての時間と制御温度との関係を示し、（ａ）は標準セーブパターンを、（ｂ）は、前回実行セーブ量が１以上、３未満の再開セーブパターン１を、（ｃ）は、前回実行セーブ量が３以上、６未満の再開セーブパターン１を、（ｄ）は、前回実行セーブ量が１以上、３未満の再開セーブパターン２を示す。図中、設定温度（Ｔｓ）、及び再開セーブパターンにおける初期加熱運転の加熱条件は、対比のために同一に設定されている。
【００３４】
【表１】
0005919238.tif 000002
【００３５】
【表２】
0005919238.tif 000003
【００３６】
【表３】
0005919238.tif 000004
【００３７】
本実施の形態で設定されているセーブパターンについて説明すると、表１〜表３、及び図３に示すように、各セーブ時間は、初期加熱運転で検知室温が設定温度に到達してから所定の設定温度維持時間が経過するまで制御温度を設定温度で維持した後、所定のセーブ量で制御温度を低下させるために設定されている時間を示す。また、各セーブ量は、制御温度を低下させる温度下げ幅（△Ｔ）を示す。例えば、検知室温が設定温度まで上昇してセーブ運転が開始されると、標準セーブパターンでは、まず制御温度を設定温度維持時間（例えば、３０分間）、設定温度に維持した後、設定されているセーブ時間（例えば、１０分間）が経過するごとに、制御温度を１セーブ量（例えば、−１／３℃＝約−０．３３℃）ずつ低下させるように設定されている。また、再開セーブパターン１では、制御温度を標準セーブパターンよりも短い、設定温度維持時間（例えば、１０分間）、設定温度に維持した後、前回実行セーブ量が１以上、３未満である場合、セーブ時間（例えば、５分間）が経過するごとに、制御温度を１セーブ量ずつ低下させるように設定されている。さらに、再開セーブパターン２では、同様に、制御温度を標準セーブパターンよりも短い、設定温度維持時間（例えば、７分間）、設定温度に維持した後、前回実行セーブ量が１以上、３未満である場合、セーブ時間（例えば、３分間）が経過するごとに、制御温度を１セーブ量ずつ低下させるように設定されている。従って、例えば、前回の暖房運転が初回の暖房運転である場合、標準セーブパターンでセーブ運転が実行されるが、暖房運転を再開させる場合、標準セーブパターンよりも早期に制御温度を低下させていくように設定されている再開セーブパターンでセーブ運転が実行される。これにより、燃費を向上させることができる。なお、上記設定温度維持時間、セーブ時間、及びセーブ量は、体感温度を基に実験により求められたものであり、またいずれのセーブパターンでも制御温度の低下は最大で６セーブ量（−２℃）に設定されているが、温風暖房機１の暖房能力等に応じてこれらは適宜設定することができる。
【００３８】
また、表２〜表３、及び図３から理解されるように、前回の暖房運転におけるセーブ運転で暖房運転終了までに実行された実行セーブ量が多いほど、より早期に制御温度を低下させるように再開セーブパターンが設定されている。すなわち、前回の暖房運転でセーブ運転が開始された後、短時間で強制タイマ運転が機能したり、使用者が運転スイッチ３１をオフ操作した場合、セーブ運転は長時間実行されていないため、室内全体の温度が上昇していない場合や、使用者も設定温度まで上昇した室温に慣れていない場合がある。従って、あまりに早期に制御温度を低下させていくと体感温度が低下しやすい。一方、前回の暖房運転でセーブ運転がある程度実行されていれば、室内全体の温度は上昇しており、しかも低下させた制御温度で長時間、暖房運転が行われていれば、使用者はその制御温度に応じて低下した室温に慣れた状態となっている。そして、再開後の暖房運転でも、検知室温が設定温度となるように初期加熱運転が実行されるから、検知室温が設定温度に到達した後であれば、より早期に制御温度を低下させる再開セーブパターンでセーブ運転を実行しても、体感温度は大きく低下しにくい。従って、体感温度を損なうことなく、燃費を向上させることができる。このため、停止時間が同程度であっても、例えば、再開セーブパターン１及び２いずれも、前回の実行セーブ量が３以上、６未満である場合のセーブパターンは、前回の実行セーブ量が１以上、３未満である場合のそれよりも、より短時間でセーブ量が多くなるように設定されており、前回の実行セーブ量が６である場合のセーブパターンは、前回の実行セーブ量が３以上、６未満である場合のそれよりも、より短時間でセーブ量が多くなるように設定されている。
【００３９】
さらに、表２〜表３、及び図３のセーブパターンの対比から理解されるように、前回の暖房運転終了から使用者が運転スイッチ３１をオン操作して暖房運転が再開されるまでの停止時間が短いほど、より早期に制御温度を低下させるように再開セーブパターンが設定されている。すなわち、使用者が運転スイッチ３１をオフ操作してから一定時間経過した後、他の使用者が暖房運転を再開する場合、室温はある程度低下しているものの、初めて暖房運転が行われるときよりも室温は高い。また、例えば、前回の暖房運転中に強制タイマ運転が機能し、使用者が暖房運転を継続させるために運転スイッチ３１を直ちにオン操作した場合、暖房運転終了後でも室温の低下は少ない。従って、停止時間が短いほど、より早期に制御温度を低下させる再開セーブパターンでセーブ運転を行うことにより、体感温度の低下を招くことなく、より燃費を向上させることができる。このため、前回の実行セーブ量が同一でも、再開セーブパターン２は、再開セーブパターン１よりも、より短時間でセーブ量が多くなるように設定されている。
【００４０】
タイマ運転制御部９０は、計時部５１で計測される暖房運転開始からの経過時間が所定の運転停止時間（例えば、３時間）経過すると、強制的に暖房運転を終了するよう、電磁弁２７，２８、及び比例制御弁２９を閉弁して、ガスバーナ６を消火する。
【００４１】
温調制御部１００は、初期加熱運転制御部６０、及びセーブ運転制御部８０からの指示に基づき、検知室温が所定の設定温度あるいは制御温度となるように暖房能力（レベル１〜７）を決定し、比例弁駆動回路１０２、及びファン駆動回路１０１を制御する。
【００４２】
比例弁駆動回路１０２は、温調制御部１００で決定された暖房能力（レベル１〜レベル７）に応じた電流（１段階〜７段階）を比例制御弁２９に通電する。ファン駆動回路１０１は、温調制御部１００で決定された暖房能力（レベル１〜レベル７）に適したファン回転数が得られるファン電流をファンモータ１６に通電する。
【００４３】
次に、図４〜図５を参照して、本実施の形態の温風暖房機の制御動作を説明する。なお、本実施の形態の温風暖房機では、運転スイッチ３１がオン操作されて暖房運転が開始されると、運転スイッチ３１のオフ操作や強制タイマ運転などにより暖房運転が停止されなければ、初期加熱運転後に自動的に所定のセーブパターンでセーブ運転が実行されるように構成されているが、操作パネル３０にセーブ運転スイッチを別途設け、セーブ運転スイッチがオン操作されているときのみ、セーブ運転が実行されるように構成してもよい。
【００４４】
使用者が温度設定スイッチ３２で設定温度を入力し、運転スイッチ３１をオン操作すると、制御ユニットＣによる温風暖房機１の制御動作が開始される（ステップＳＴ１）。
【００４５】
暖房運転が開始されると、まず、前回の暖房運転終了時にセーブ運転が実行されていたかどうかを判定するため、セーブ量記憶部８２から実行セーブ量が読み出される（ステップＳＴ２）。
【００４６】
次いで、初期加熱運転が開始される（ステップＳＴ３）。この初期加熱運転では、ガスバーナ６を燃焼させる前に、ファン駆動回路１０１がファンモータ１６を所定時間（例えば、３０秒間）回転動作させるプリパージが行われる。
【００４７】
プリパージが終了すると、運転制御部５０からの通電により電磁弁２７，２８を開弁する。また、比例弁駆動回路１０２からの通電により比例制御弁２９の開度を最大とし、ファン駆動回路１０１からの通電によりファンモータ１６の回転数を最大とした上で、点火電極２１に通電して、ガスバーナ６の点火を行う。
【００４８】
ガスバーナ６が点火されると、１分間は最大燃焼量でガスバーナ６を燃焼させ、その後、設定温度と検知室温との温度差に基づいて目標燃焼量が決定され、決定された目標燃焼量に基づいて温調制御部１００は暖房能力を決定し、比例弁駆動回路１０２により比例制御弁２９の開度が調整される。また、決定された目標燃焼量に応じて、ファン駆動回路１０１によりファンモータ１６の目標回転数が可変され、目標回転数と、回転数センサ１８により検知される実際の回転数とが一致するように、ファンモータ１６への通電量が調整される。これにより、検知室温が設定温度に近づくように初期加熱運転が実行される。
【００４９】
初期加熱運転により検知室温が設定温度まで到達すると（ステップＳＴ４で、Ｙｅｓ）、再開時のエコ運転モードかどうかが確認され、エコ運転モードでない場合（ステップＳＴ５で、Ｎｏ）、すなわち初回の暖房運転の場合、既述したセーブパターン設定部８１から標準セーブパターンが選択され、設定温度維持時間が３０分間に、各セーブ時間が１０分間に設定される（ステップＳＴ９）。
【００５０】
また、今回の暖房運転がエコ運転モードであるが（ステップＳＴ５で、Ｙｅｓ）、前回のセーブ運転における実行セーブ量が記憶されていない場合（ステップＳＴ６で、Ｎｏ）、すなわち、前回の暖房運転で制御温度を低下させる前に暖房運転が終了していた場合、上記と同様に標準セーブパターンが選択される（ステップＳＴ９）。
【００５１】
さらに、前回の実行セーブ量が記憶されている場合（ステップＳＴ６で、Ｙｅｓ）、すなわち、前回の暖房運転終了時までにある程度のセーブ運転が実行されている場合、前回の暖房運転終了から運転スイッチ３１がオン操作されて暖房運転が再開されるまでの停止時間が所定の第１停止時間（例えば、１０分間）以下かどうかが判断される（ステップＳＴ７）。そして、停止時間が第１停止時間を超えている場合（ステップＳＴ７で、Ｎｏ）、室温は低下していると考えられるから、上記と同様に標準セーブパターンが選択される（ステップＳＴ９）。
【００５２】
停止時間が第１停止時間以下である場合（ステップＳＴ７で、Ｙｅｓ）、さらに停止時間が第２停止時間（例えば、５分間）以下かどうかが判断される（ステップＳＴ８）。停止時間が第２停止時間を超えている場合（ステップＳＴ８で、Ｎｏ）、前回の暖房運転により室温は大きく低下していないと考えられるから、セーブパターン設定部８１から前回の実行セーブ量に応じた再開セーブパターン１が読み出され、設定温度維持時間が１０分間に、各セーブ時間が５分間に設定される（ステップＳＴ１０）。
【００５３】
また、停止時間が第２停止時間以下である場合（ステップＳＴ８で、Ｙｅｓ）、前回の暖房運転が終了して直ちに暖房運転が開始され、室温は殆ど低下してないと考えられるから、セーブパターン設定部８１から前回の実行セーブ量に応じた再開セーブパターン２が読み出され、設定温度維持時間が７分間に、各セーブ時間が３分間に設定される（ステップＳＴ１１）。
【００５４】
次いで、使用者が運転スイッチ３１をオフ操作するかあるいは強制タイマ運転による所定時間の経過により暖房運転が停止していなければ（ステップＳＴ１２で、Ｎｏ）、各セーブパターンで設定されている設定温度維持時間が経過したかどうかが判断される（ステップＳＴ１３）。そして、設定温度維持時間が経過すると（ステップＳＴ１３で、Ｙｅｓ）、選択された各セーブパターンのセーブ時間が経過するごとに、所定のセーブ量で制御温度を低下させていく（ステップＳＴ１４〜ＳＴ１７）。この制御温度の低下に伴い、検知室温が低下させた制御温度と一致するように目標燃焼量が決定され、決定された目標燃焼量に基づいて温調制御部１００は暖房能力を決定し、それに応じて比例制御弁２９の開度、及び送風ファン５の回転数が調整される。なお、最初の制御温度の低下が実行されるまでに、暖房運転が停止された場合（ステップＳＴ１２で、Ｙｅｓ）、今回の実行セーブ量が記憶されることなく、セーブ運転が終了される。
【００５５】
セーブ運転中に、運転スイッチ３１のオフ操作あるいは強制タイマ運転での所定時間の経過による停止動作が行われた場合（ステップＳＴ１６で、Ｙｅｓ）、または最大セーブ量までセーブ運転が実行された場合（ステップＳＴ１７で、Ｙｅｓ）、それまでに実行された実行セーブ量がセーブ量記憶部８２に記憶される（ステップＳＴ１８）。記憶された実行セーブ量は、所定の停止時間内に暖房運転が再開された場合のセーブ運転で利用される。なお、セーブ運転が終了すると、検知室温が低下した制御温度と一致するように、温調制御運転が行われる。
【００５６】
以上のように、本実施の形態の温風暖房機１によれば、暖房運転が終了して、所定の停止時間内に暖房運転が再開された場合、再開時の暖房運転におけるセーブ運転は、前回のセーブ運転における実行セーブ量が多いほど、また前回の暖房運転終了から暖房運転が再開されるまでの停止時間が短いほど、より早期に制御温度を低下させる再開セーブパターンで実行されるから、短時間内に暖房運転を再開させた場合でも、体感温度の低下を招くことなく、燃費を向上させることができる。
【００５７】
なお、上記実施の形態では、ガスファンヒータを例に挙げて説明したが、本発明はこれに限定されず、ＦＦ式の温風暖房機や石油式の温風暖房機に適用することができる。
【００５８】
また、上記実施の形態では、標準セーブパターンは１種類だけ設定されているが、暖房運転初期における初期室温や温度上昇幅などの暖房負荷特性を考慮して、複数設定されてもよく、再開セーブパターンは、セーブ時間、及びセーブ量が異なるものをさらに設けてもよい。
【符号の説明】
【００５９】
１    温風暖房機
５    送風ファン
６    ガスバーナ（加熱源）
２６  温度センサ（室温検知部）
３１  運転スイッチ
３１  設定温度スイッチ（設定温度入力部）
６０  初期加熱運転制御部
８０  セーブ運転制御部
８１  セーブパターン設定部
８２  セーブ量記憶部
【図１】
0005919238.tif 000005
【図２】
0005919238.tif 000006
【図３】
0005919238.tif 000007
【図４】
0005919238.tif 000008
【図５】
0005919238.tif 000009